(57)【特許請求の範囲】
【請求項１】
透液性のトップシートと、不透液性のバックシートと、前記トップシートと前記バックシートとの間に配置された吸収体とを有し、前記バックシートの裏面側に、着衣の内面に着脱可能に止着する止着部材が設けられた使い捨て補助パッドであって、
前記使い捨て補助パッドは、長さ方向に、前側部と後側部と前側部と後側部の間に位置する股部とを有し、幅方向に、中央部と中央部の両側に位置する両側縁部とを有し、
前記止着部材を、使い捨て補助パッドの前側部と後側部における幅方向の両側縁部に設けることにより、前記使い捨て補助パッドの長さ方向股部および幅方向中央部には、止着部材が存在しない領域を設けており、
前記止着部材は、それぞれ長さ方向の端縁と幅方向側縁を有す長方形状のものであって、前記側縁の長さの方が、前記端縁の長さよりも長い止着部材であり、
前記止着部材の幅方向側縁は、使い捨て補助パッドの側縁に沿うように配置され、
前記止着部材は、使い捨て補助パッドの幅方向側縁から離間して設けられ、前記止着部材の外方の側縁は、前記吸収体の幅方向側縁から１０ｍｍ以上内方に位置し、かつ、使い捨て補助パッドの幅方向の側縁から１０ｍｍ以上内方に位置し、
前記トップシートの幅は、使い捨て補助パッドの幅よりも狭く設定されており、前記バックシートは、前記吸収体の上方へ巻き上げられ、吸収体の幅方向側縁は、バックシートで覆われていることを特徴とする使い捨て補助パッド。
【請求項２】
前記止着部材の幅方向の間隔が、５０ｍｍ〜９０ｍｍである請求項１に記載の使い捨て補助パッド。
【請求項３】
前記使い捨て補助パッドには、長辺両側縁に沿って、長さ方向に延びる一対の起立部が設けられている請求項１または２に記載の使い捨て補助パッド
【発明の詳細な説明】
【技術分野】
【０００１】
本発明は、使い捨ておむつ本体や生理用ナプキンに取り付けて使用する使い捨て補助パッドに関するものである。
【背景技術】
【０００２】
近年、固定部材としてフック部材を用いた使い捨て補助パッドに関する技術が開発されている。例えば、特許文献１には、透液性のトップシート、吸収体および非透液性のバックシートが積層されている使い捨て補助パッドであって、前記バックシートの外表面には、繊維群に着脱自在に接合することのできる略矩形状の面ファスナが、補助パッドの中心部から補助パッドの長さ方向一端縁側に偏って設けられていることを特徴とする補助パッドが開示されている。
【０００３】
特許文献２には、互いに対向して縦方向へ延びる両側縁部と、互いに対向して横方向へ延びる両端縁部とを有し、透液性表面シートと、不透液性裏面シートと、それらシートの間に介在する吸液性コアと、前記表面シートの外面に位置して前記縦方向へ延びる一対の液抵抗性防漏シートとから構成され、前記防漏シートそれぞれが、前記両側縁部に位置して前記表面シートに固着された固定側部と、前記縦方向へ延びる弾性伸縮性部材を伸長状態で取り付けて前記表面シートの外面から上方へ起立性向を有する自由側部と、前記両端縁部に位置して前記表面シートに固着された固定端部とを備えた体液吸収性インナーパネルにおいて、前記インナーパネルを保持するアウター部材の内面に掛着可能であって前記横方向へ連続して延びる少なくとも１つの略矩形状の雄型面ファスナが、前記裏面シートの所要の部位に位置して前記裏面シートの外面に固着され、前記防漏シートの固定側部と固定端部との少なくとも一方が、前記インナーパネルの両側縁部から前記裏面シートの外面の側へ延び、かつ、前記インナーパネルの両側縁部に位置する前記面ファスナの横方向両端部を被覆した状態で前記裏面シートと前記面ファスナとに固着されていることを特徴とする前記インナーパネルが開示されている。
【０００４】
特許文献３には、透水性表面シートと、不透水性裏面シートと、これら両シート間に介在する吸収性コアと、を有し、前記裏面シートに着衣の内面に取り外し可能に装着できる取付け部材を備えた吸収性物品において、前記取付け部材が基板にほぼ垂直に立設した軸と、該軸の先端において少なくとも一方向に伸延した突出部によって形成されたキャップと、から構成されるフック素子を複数個有するファスナーのフック部材であって、前記キャップの長手方向あるいは直角方向の少なくともいずれか一方において、前記フック素子のキャップ径が２７５μｍから３７５μｍであることを特徴とする吸収性物品が開示されている。
【０００５】
特許文献４には、透液性表面シート、不透液性裏面シート、および、これら透液性表面シートと不透液性裏面シートとの間に配設された吸収体を備えた長手方向両端部および幅方向両側部を有する形状の吸収性物品体を具備し、この吸収性物品体は、前記透液性表面シートおよび不透液性裏面シートの少なくともいずれか一方により前記吸収体の外方に第１のフラップ部が形成され、前記透液性表面シートの表面側に、前記吸収性物品体の長手方向に沿ってこの吸収性物品体の幅方向の両側部に自由端状の第２のフラップ部が前記不透液性表面シートにて形成され、前記不透液性裏面シートの前記吸収体と反対側に、前記吸収性物品体の長手方向に沿って自由端状の第３のフラップ部が形成され、前記第２のフラップ部は、基端側が前記透液性表面シートおよび不透液性裏面シートのいずれか一方に固定され、先端側に前記吸収性物品体の長手方向に沿って第２フラップ用弾性体が配設され、前記第３のフラップ部は、基端側が前記不透液性裏面シートに固定され、先端側に前記吸収性物品体の長手方向に沿って第３フラップ用弾性体が配設されていることを特徴とした使い捨て吸収性物品が開示されている。
【０００６】
特許文献５には、透液性のトップシートと、不透液性のバックシートと、前記トップシートと前記バックシートの間に配設された吸収体とを備え、おむつ本体に取り付けられて使用されるインナー吸収性物品であって、前記おむつ本体は、外装体と、前記外装体の幅方向両側縁部の各々に沿って形成され、着用者の脚周りに接触する一対の脚周りギャザーとを備え、前記バックシートの裏面の幅方向両側縁部の各々に沿って、前記おむつ本体に着脱自在に止着される第１の止着部材が設けられていることを特徴とするインナー吸収性物品が開示されている。
【先行技術文献】
【特許文献】
【０００７】
【特許文献１】特開平９−２７６３１２号公報
【特許文献２】特開２００１−１２９０１１号公報
【特許文献３】特開２００３−２１０５２４号公報
【特許文献４】特開２００４−３０５４６５号公報
【特許文献５】特開２００９−２４０５６１号公報
【発明の概要】
【発明が解決しようとする課題】
【０００８】
上述したように、使い捨て補助パッドには、おむつ本体や生理用ナプキンなどの着衣に取り付けるための固定部材が設けられており、取り付け作業の容易さが求められている。固定部材の形状や配置によっては、使い捨て補助パッドをつかみ、外側の着衣内面に取り付ける作業や位置調整がしづらいという問題があった。また、使い捨て補助パッドが、取り付けた着衣の動きに追従し過ぎて、着用者へのフィット性が低下し、尿漏れし易いという問題もあった。
【０００９】
本発明は、上記事情に鑑みてなされたものであり、取り付けおよび位置調整が容易で、取り付けた着衣の動きに追従し過ぎず、着用者へのフィット性が低下しない使い捨て補助パッドを提供することを課題とする。
【課題を解決するための手段】
【００１０】
本発明の使い捨て補助パッドは、透液性のトップシートと、不透液性のバックシートと、前記トップシートと前記バックシートとの間に配置された吸収体とを有し、前記バックシートの裏面側に、着衣の内面に着脱可能に止着する止着部材が設けられた使い捨て補助パッドであって、前記使い捨て補助パッドは、長さ方向に、前側部と後側部と前側部と後側部の間に位置する股部とを有し、幅方向に、中央部と中央部の両側に位置する両側縁部とを有し、前記止着部材を、使い捨て補助パッドの前側部と後側部における幅方向の両側縁部に設けることにより、前記使い捨て補助パッドの長さ方向股部および幅方向中央部には、止着部材が存在しない領域を設けたことを特徴とする。
【００１１】
本発明は、使い捨て補助パッドを着衣の内面に取り付ける止着部材を、使い捨て補助パッドの前側部と後側部における幅方向の両側縁部に設けることにより、使い捨て補助パッドの長さ方向股部および幅方向中央部には、止着部材が存在しない領域を設けたところに要旨がある。使い捨て補助パッドの長さ方向股部および幅方向中央部に、止着部材が存在しない領域を設けることにより、使い捨て補助パッドを取り付ける際に、使い捨て補助パッドと着衣の間に指を挿入することができる。その結果、取り付け作業や位置調整が容易になる。また、股下部において、使い捨て補助パッドと着衣が固定されていない。その結果、使い捨て補助パッドが、着衣の動きに追従しすぎることが抑制され、使い捨て補助パッドの着用者へのフィット性が低下せず、尿漏れが低減する。
【００１２】
前記止着部材は、使い捨て補助パッドの幅方向側縁から離間して設けられていることが好ましく、例えば、前記止着部材の外方の側縁が、使い捨て補助パッドの幅方向の側縁から１０ｍｍ以上内方に位置することが好ましい。また、前記止着部材の外方の側縁は、前記吸収体の幅方向側縁から１０ｍｍ以上内方に位置することが好ましい。使い捨て補助パッドの側縁をつまみやすくなるからである。
【００１３】
前記止着部材の幅方向の間隔が、５０ｍｍ〜９０ｍｍであることが好ましい。使い捨て補助パッドの幅方向中央部をつまみやすくなるからである。
【発明の効果】
【００１４】
本発明の使い捨て補助パッドは、取り付けおよび位置調整が容易である。また、取り付けた着衣の動きに追従し過ぎず、着用者へのフィット性が低下しない。その結果、尿漏れが低減する。
【図面の簡単な説明】
【００１５】
【図１】本発明の好ましい実施形態の使い捨て補助パッドの平面図（トップシート側から見た平面図。一部切り欠きあり）。
【図２】本発明の好ましい実施形態の使い捨て補助パッドの裏面図（バックシート側から見た展開図）。
【図３】図１の使い捨て補助パッドのＩ−Ｉ線の断面模式図。
【図４】本発明の好ましい実施形態に係る使い捨て補助パッドの平面図（トップシート側から見た平面図。一部切り欠きあり）。
【図５】本発明の好ましい実施形態の使い捨て補助パッドの裏面図（バックシート側から見た展開図）。
【図６】図４の使い捨て補助パッドのＩＩ−ＩＩ線の断面模式図。
【図７】使い捨て補助パッドの使用例を説明する説明図。
【図８】使い捨て補助パッドの使用例を説明する説明図。
【図９】使い捨て補助パッドのおむつ本体への取り付け方を説明する説明図。
【発明を実施するための形態】
【００１６】
本発明の使い捨て補助パッドは、透液性のトップシートと、不透液性のバックシートと、前記トップシートと前記バックシートとの間に配置された吸収体とを有し、前記バックシートの裏面側に、着衣の内面に着脱可能に止着する止着部材が設けられた使い捨て補助パッドであって、前記使い捨て補助パッドは、長さ方向に、前側部と後側部と前側部と後側部の間に位置する股部とを有し、幅方向に、中央部と中央部の両側に位置する両側縁部とを有し、前記止着部材を、使い捨て補助パッドの前側部と後側部における幅方向の両側縁部に設けることにより、前記使い捨て補助パッドの長さ方向股部および幅方向中央部には、止着部材が存在しない領域を設けたことを特徴とする。
【００１７】
以下、本発明を詳細に説明する。本発明の使い捨て補助パッドは、透液性のトップシートと、不透液性のバックシートと、前記トップシートと前記バックシートとの間に配置された吸収体とを有する。
【００１８】
前記透液性のトップシートは、透液性のシート材料、例えば、親水性繊維により形成された不織布であり、着用者からの排泄物の水分を速やかに捕捉して吸収体へと移動させる。トップシートとして利用される不織布は、例えば、ポイントボンド不織布やエアスルー不織布、スパンレース不織布、スパンボンド不織布であり、これらの不織布を形成する親水性繊維としては通常、セルロースやレーヨン、コットン等が用いられる。なお、トップシートとして、表面を界面活性剤により親水化処理した疎水性繊維（例えば、ポリプロピレン、ポリエチレン、ポリエステル、ポリアミド、ナイロン）にて形成された透液性の不織布が用いられてもよい。
【００１９】
吸収体は、透液性のトップシートと、不透液性のバックシートとの間に配置され、トップシートを透過した水分を吸収して迅速に固定する。吸収体は、例えば、粉砕したパルプ繊維やセルロース繊維等の親水性繊維に粒状の吸水性ポリマー（例えば、ＳＡＰ（Super Absorbent Polymer））を混合したものをティッシュペーパーや透液性不織布等により包み込んで形成される。親水性繊維を包むティッシュペーパーや透液性不織布等は、親水性繊維および吸水性ポリマーとホットメルト接着剤により接合されることが好ましい。親水性繊維の型崩れ、および、吸水性ポリマーの脱落（特に、吸水後における脱落）を防止することができる。
【００２０】
バックシートとしては、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルムが利用され、バックシートに到達した排泄物の水分等が、使い捨て補助パッドの外側にしみ出すのを防止する。バックシートにプラスチックフィルムが利用される場合、ムレを防止して着用者の快適性を向上するという観点からは、透湿性（通気性）を有するプラスチックフィルムが利用されることが好ましい。
【００２１】
本発明の使い捨て補助パッドのバックシートの裏面側には、止着部材が設けられている。この止着部材により、使い捨て補助パッドを着衣の内面に着脱可能に取り付けることができる。
【００２２】
止着部材としては、着衣の内面に着脱可能に取り付けることができるものであれば、特に限定されず、例えば、粘着テープや面ファスナーのフック部材などを挙げることができる。前記フック部材は、ポリエチレンやポリプロピレンなどのプラスティック部材で作られた薄く柔軟なものが好ましく、ベースとなる基材シートの上に複数のフック素子が並んで立っているものが好ましい。前記フック素子は、ステム（茎）と、前記ステムの先端に設けられたヘッドとを有し、着衣の内面に着脱可能に係合する。前記ヘッドの形状（平面視）は、特に限定されず、矩形、円形、楕円形などの様々な形のものが挙げられる。
【００２３】
本発明の使い捨て補助パッドは、長さ方向に、前側部と後側部と前側部と後側部の間に位置する股部とを有し、幅方向に、中央部と中央部の両側に位置する両側縁部とを有し、前記止着部材を、使い捨て補助パッドの前側部と後側部における幅方向の両側縁部に設けることにより、前記使い捨て補助パッドの長さ方向股部および幅方向中央部には、止着部材が存在しない領域が設けられている。使用に際して、使い捨て補助パッドの前側部が、着用者の腹側に当接し、後側部が着用者の臀部側に当接する。
【００２４】
使い捨て補助パッドの長さ方向股部および幅方向中央部に、止着部材が存在しない領域を設けることにより、使い捨て補助パッドを取り付ける際に、使い捨て補助パッドと着衣の間に指を挿入することができる。その結果、取り付け作業や位置調整が容易になる。また、股下部分中央部において、使い捨て補助パッドと着衣が固定されていない。その結果、使い捨て補助パッドが、着衣の動きに追従しすぎることが抑制され、使い捨て補助パッドの着用者へのフィット性が低下せず、尿漏れが低減する。
【００２５】
本発明の使い捨て補助パッドの形状は、長辺両側縁と短辺両端縁とを有する略矩形状であることが好ましい。また、長辺両側縁に、着用者の股間部分に沿いやすいように脚用切り欠き部が設けられた砂時計形状であってもよい。
【００２６】
使い捨て補助パッドには、長辺両側縁に沿って、長さ方向に延びる一対の起立部が設けられていてもよい。起立部は、尿などの横漏れを防止して、排泄物の水分を速やかに吸収体へと移動させる。起立部は、不透液性のサイドシートで構成されていることが好ましい。起立部に用いられるサイドシートとしては、不透液性バックシートの材料として用いるものを挙げることができる。前記起立部は、例えば、吸収体の上面の幅方向両側に設けられてもよく、吸収体の側縁より外側に設けられてもよい。起立部は、トップシートの幅方向両側に設けられたサイドシートの内方端が立ち上げられて、形成されてもよい。起立部の自由端（内方端）には弾性部材が設けられることが好ましく、当該弾性部材の収縮力により起立部が着用者の肌に向かって立ち上がる。
【００２７】
本発明の使い捨て補助パッドは、使い捨ておむつ本体、生理用ナプキン、綿生地のパンツなどの着衣に好適に使用することができ、使い捨ておむつ本体、生理用ナプキンなどに使用することが好ましい。
【００２８】
前記使い捨ておむつ本体としては、例えば、透液性のトップシートと、不透液性のバックシートと、前記透液性トップシートと不透液性のバックシートとの間に吸収体を有し、吸収体の両側縁に沿って一対の立ち上がりフラップが形成されたもの；内側シートと外側シートからなる積層体と、前記積層体の肌面側に、透液性トップシートと不透液性バックシートとの間に吸収体が挟み込まれた吸収性本体とを有し、吸収性本体の両側縁に沿って一対の立ち上がりフラップが形成されたものなどを挙げることができる。なお、上記では、おむつ本体に吸収性本体や吸収体が備えられている場合を例示したが、おむつ本体に吸収性本体や吸収体は必ずしも必要ではない。
【００２９】
以下、図面を参照しながら、本願発明を詳細に説明するが、本願発明は、図面に示された態様に限定されるものではない。
【００３０】
図１〜図３には、本発明の使い捨て補助パッドの好ましい実施態様（第１実施形態１）を示した。図１は、肌面側から見た平面図であり、図２は、裏面側から見た裏面図である。図３は、Ｉ−Ｉ線における断面図である。以下、本発明では、着用者の左側に当たる側を左側と称し、着用者の右側に当たる側を右側と称す。従って、図２に向かって右側は左側であり、向かって左側は右側である。（図１では向かって右側が右側であり、向かって左側は左側である。）
【００３１】
使い捨て補助パッド１は、透液性のトップシート２と、不透液性のバックシート３と、両シートの間に挟まれて配置された吸収体４とで主に構成されている。吸収体４は、ホットメルト接着剤などでトップシート２およびバックシート３と接合されており、さらに吸収体４から外方へ延出するトップシート２およびバックシート３のフラップ部分は接着剤などで互いに接合されて、吸収体４や吸収体４が吸収した尿等の排泄物が外方へ漏れ出さないように保持されている。なお、図１から図３の例では、バックシート３は吸収体４の上方へ巻き上げられ、吸収体４の幅方向側縁２４はバックシート３で覆われている。これは、吸収体４や吸収体４が吸収した尿等の排泄物が外方へ漏れ出さないようにより強固に保持するための措置である。
【００３２】
使い捨て補助パッド１は、長さ方向１８、幅方向１９、厚さ方向２０を有している。使い捨て補助パッド１は、長さ方向に、前側部１２、後側部１４、及び、前側部１２と後側部１４との間に位置する股部１３を有し、幅方向に、中央部１６と、中央部の両側に位置する両側縁部１５，１７とを有している。なお、前記股部１３のフラップ部分は、着用者の股間部分に沿いやすいように脚用切り欠き部８を設け括れている。さらに吸収体４の股部縁２５も同様に括れている。図２では、使い捨て補助パッド１をほぼ３等分する２点鎖線を２本引いて示しており、２点鎖線間を中央部１６とし、２点鎖線の外方の部分を両側縁部１５，１７としている。
【００３３】
使い捨て補助パッド１には、止着部材１０，１１がバックシート３の裏面側に設けられている。ここで、裏面側とは図３に向かって下側のことであり、着用者の着衣の内面に面する側である。図３に向かって上側は、着用者の肌に面する側である。前側止着部材１０は、前側部１２における両側縁部１５，１７にそれぞれ配置されている。後側止着部材１１は、後側部１４における両側縁部１５，１７中にそれぞれ配置されている。前後止着部材１０および１１は、それぞれ長さ方向の端縁２９と幅方向側縁３０を有する長方形状のものとして描かれている。しかしながら、形状はこの形に限定されない。
【００３４】
止着部材１０，１１には、面ファスナーのフック部材を用いることが好ましい。フック部材からなる止着部材１０，１１は、該フック部材を着衣の内面に向くように、バックシート３の裏面に取り付けられる。該フック部材が着衣の内面に係合することで、使い捨て補助パッド１を着衣に接合できる。止着部材がフック部材であれば、繰り返し取り付けができて、位置調整が容易な上、着衣の内面を損傷することも少なくなる。
【００３５】
各止着部材の幅方向側縁３０は、使い捨て補助パッド１の側縁２２に沿うように配置することが好ましい。また、側縁３０の長さ２６の方が、端縁２９の長さ３１よりも長いことが好ましい。そのような止着部材の配置関係と寸法関係により、使い捨て補助パッド１を着衣に固定した際に、長さ方向に対するずれを起こしにくくすることができる。ずれが起こりにくいことで、使い捨て補助パッドが着用者の股間の適切な位置にフィットし続けるため、尿等の排泄物の漏れを防ぐことができる。
【００３６】
止着部材は、使い捨て補助パッドの幅方向側縁２２から、離間して設けられていることが好ましく、止着部材の外方の側縁３０が、使い捨て補助パッドの側縁２２から１０ｍｍ以上内方に位置することが好ましい。止着部材を、使い捨て補助パッドの幅方向側縁２２から離間して設けることにより、使い捨て補助パッド１の幅方向側縁２２から止着部材１０までの間隔２７において、使い捨て補助パッド１が、おむつ本体に接合されず自由な状態になる。この間隔２７の部分についても、作業者が指でつまむことができ、位置調整のために使うことができる。また、この間隔２７の部分は、おむつ本体の動きに追従しないため、おむつ本体との関連によって曲がったり、折れたりすることがなく、それら曲がり・折れに起因する排泄物の漏れを防ぐことができる。
【００３７】
前記間隔２７の幅方向１９における寸法は、１０ｍｍ以上であることが好ましく、１５ｍｍ以上がより好ましく、３０ｍｍ以下が好ましく、２５ｍｍ以下がより好ましい。３０ｍｍを越える寸法であると、自由度があり過ぎて、補助パッド単独で折れ曲がりやすくなる。また、１０ｍｍ未満の寸法であると作業者がつまみにくく作業しづらくなる。
【００３８】
前側止着部材１０および後側止着部材１１は、それぞれ左右の止着部材間に間隔２８が設けられている。この間隔があるために左右の止着部材の間に手を入れて作業することができ、着衣に取り付ける際に位置を調整し易くなる。着用者の体型や姿勢に合わせて適切な位置に使い捨て補助パッドを取り付けることで確実にフィットさせることができ、結果として漏れを軽減することができる。
【００３９】
前記左右の止着部材間の間隔２８は、５０ｍｍ〜９０ｍｍとすることが好ましい。５０ｍｍより小さい間隔では装着作業者の手や指が入りづらくなる。また、９０ｍｍよりも大きい間隔では使い捨て補助パッドの止着が不安定になる。
【００４０】
図１および図３を参照すると、トップシート２の幅は使い捨て補助パッド１の幅よりも狭く設定されており、トップシート２の両側縁部の下面は、バックシート３の折り返し端９のやや外方上面と第１の接合部３２において接合されている。トップシート２の幅方向外方にはサイドシート５が接合されて配置されている。サイドシート５の第１の折り返し縁３６よりやや外方の部分の下面は、トップシート２の上面と第２の接合部３３により接合されている。なお、その他のサイドシート５の下面もトップシート２の上面や折り返されたバックシート３の上面と接合されている（図示せず）。第２の接合部３３よりも内方のサイドシート５の部分は、延伸した状態で貼り付けられた弾性部材７の収縮力により着用者の肌に向かって起立する起立部６となっている。
【００４１】
図１および図３の例では、起立部６は、第１の折り返し縁３６で外方に向かって折り返され、次いで第２の折り返し縁３４で内方に向かって折り返され、次いで第３の折り返し縁３５で弾性部材７を覆うように内方に向かって折り返される。弾性部材７は、第３の折り返し縁３５の内部に伸張状態で取り付けられている。折り畳まれた起立部６は、使い捨て補助パッド１の長さ方向１８の端縁付近においては折り畳まれた状態で固定されている。その固定された部分の間の起立部６は固定されていないので、弾性部材７の収縮力により着用者の肌に向かって起立する。起立部６は、主に着用者の股間部において起立するため、股間部における尿等の排泄物の横漏れを防ぐことができる。
【００４２】
弾性部材７については、ポリウレタン糸や天然ゴムシートなどの伸縮性材料が用いられる。材料の接合には、ホットメルト接着剤による接合や、熱溶融接合が用いられる。
【００４３】
図４から図６には、本発明の別の好ましい実施態様（第２実施形態１０１）を示している。使い捨て補助パッド１０１では、バックシート３が吸収体４の幅方向側縁２４に沿って巻き上げられてはおらず、側縁２４から外方へ延出している。また、サイドシート５も側縁２４から外方へ延出しており、延出したサイドシート５とバックシート３を互いに接合してフラップ部分を形成している。上記の点以外は、基本的に第１実施形態と同じである。
【００４４】
止着部材の外方の側縁３０は、吸収体の幅方向側縁２４から１０ｍｍ以上内方に位置することが好ましい。図１から図３の補助パッド１では、吸収体４の側縁２４と補助パッド１の側縁２２がほぼ一致しているが、図４から図６の補助パッド１０１では、吸収体４の側縁２４は補助パッド１０１の側縁２２よりも内方にある。止着部材の側縁３０と吸収体４の側縁２４との間隔４３については、１０ｍｍ以上であることが好ましく、１５ｍｍ以上がより好ましく、３０ｍｍ以下が好ましい。３０ｍｍを越える寸法であると、自由度があり過ぎて、補助パッド単独で折れ曲がりが発生しやすくなる。また、１０ｍｍ未満の寸法であると作業者がつまみにくく作業しづらくなる。
【００４５】
第１実施形態、第２実形態ともにサイドシート５を用いて、横漏れ防止用の起立部６を設けている。変形例としてサイドシート５を用いず、トップシート２のみで表面全体を覆ってもよい。その他、本発明の主旨が許す範囲で変形しても差し支えない。
【００４６】
以下、本発明の使い捨て補助パッドをおむつ本体に取り付けて使用する態様について、図７〜９を参照しながらさらに詳細に説明する。図７に示すように使い捨て補助パッド１は２つ折り部３７により２つに折られている。２つに折られた状態で、図８に示すようにおむつ本体の内面４１、４２に重ねて接合する。
【００４７】
図９では、おむつ本体３８の前側の内面４１（斜線で示す部分）に使い捨て補助パッド１を重ねた状態で、内面４１に前側止着部材１０を接合している。左右の前側止着部材１０間は固定されていないので、図９のように作業者の手３９の指４０が、補助パッドの裏面とおむつ本体の内面との間に入る。このことにより、一旦接合した状態でも使い捨て補助パッドをしっかりと持って接合状態を調整することができる。また、股部１３には止着部材は配置されない。よって、股部１３は、おむつ本体３８の動きに関連せず、おむつ本体３８の動きに起因する捩れ、しわなどが発生しない。特に股部１３の吸収体４が捩れたり、しわになったりすると吸収力の低下を招きやすいので、その部分に影響が無いことが望ましい。
【００４８】
図９に示すように、止着部材は、使い捨て補助パッドの幅方向側縁２２から、離間して設けられている。使い捨て補助パッド１の幅方向側縁２２から止着部材１０までの間隔２７において、使い捨て補助パッド１が、おむつ本体に接合されず自由な状態になる。この間隔２７の部分についても、作業者が指でつまむことができ、位置調整のために使うことができる。また、この間隔２７の部分は、おむつ本体３８の動きに追従しないため、おむつ本体との関連によって曲がったり、折れたりすることがなく、それら曲がり・折れに起因する排泄物の漏れを防ぐことができる。
【産業上の利用可能性】
【００４９】
本発明の使い捨て補助パッドは、使い捨ておむつ、生理用ナプキン、綿生地のパンツなどの着衣に好適に使用することができる。
【符号の説明】
【００５０】
１：使い捨て補助パッド、２：トップシート、３：バックシート、４：吸収体、５：サイドシート、６：起立部、７：弾性部材、８：脚用切り欠き部、９：バックシート折り返し端部、１０：前側止着部材、１１：後側止着部材、１２：前側部、１３：股部、１４：後側部、１５：側縁部、１６：中央部、１７：側縁部、１８：長さ方向、１９：幅方向、２０：厚さ方向、２１：長さ方向端縁、２２：幅方向側縁、２３：吸収体の長さ方向端縁、２４：吸収体の幅方向側縁、２５：吸収体の股部縁、２６：止着部材の長さ、２７：止着部材の側縁と使い捨て補助パッドの側縁との間隔、２８：左右の止着部材間の間隔、２９：止着部材の長さ方向端縁、３０：止着部材の幅方向側縁、３１：止着部材の幅、３２：第１の接合部、３３：第２の接合部、３４：第２の折返し縁、３５：第３の折返し縁、
３６：第１の折返し縁、３７：２つ折り部、３８：おむつ本体、３９：作業者の手、４０：作業者の指、４１：外側おむつ本体の前側の内面、４２：外側おむつ本体の後側の内面、４３：止着部材の側縁と吸収体の側縁との間隔、
【図１】
0005833345.tif 000002
【図２】
0005833345.tif 000003
【図３】
0005833345.tif 000004
【図４】
0005833345.tif 000005
【図５】
0005833345.tif 000006
【図６】
0005833345.tif 000007
【図７】
0005833345.tif 000008
【図８】
0005833345.tif 000009
【図９】
0005833345.tif 000010